(57)【特許請求の範囲】
【請求項１】
配線基板に取り付けられる絶縁ハウジングと、
上記配線基板の配線部に接続される端子部を有して上記絶縁ハウジング内に配置され、配線板部材が上記絶縁ハウジング内に差し込まれるとき、差し込まれた配線板部材に設けられた複数の接続端子部に夫々対応する位置をとるものとされる複数のコンタクトと、
上記絶縁ハウジングに対して回動可能に設けられて第１の静止位置と第２の静止位置とを選択的にとり、上記複数のコンタクトに夫々係合する複数のカム部が設けられていて、上記配線板部材が上記絶縁ハウジング内に差し込まれたもとで、上記第１の静止位置から上記第２の静止位置に移行するとき、上記複数のコンタクトの夫々に上記複数の接続端子部のうちの対応するものに対する押圧接触状態をとらせ、上記第２の静止位置から上記第１の静止位置に移行するとき、上記複数のコンタクトの夫々を上記複数の接続端子部のうちの対応するものに対する押圧接触状態から解放するアクチュエータと、
を備えて成り、
上記複数のコンタクトの夫々が、第１の端部を有した固定部とされる第１のビーム部と第２の端部を有した作動部とされる第２のビーム部とが連結部により上記第１及び第２の端部を相互対向させて相互連結されたＨ字状を成す板状部材とされ、上記第１及び第２のビーム部が上記カム部を挟んで該カム部に当接し、上記アクチュエータが上記第１の静止位置から上記第２の静止位置に移行するとき、上記カム部によって上記第２のビーム部が上記第１の端部と上記第２の端部との間の間隔を狭めるように変位せしめられて上記複数の接続端子部のうちの対応するものに押圧接触する状態をとり、
上記アクチュエータが、上記第２の静止位置をとるとき上記配線基板の配線部に接続された上記複数のコンタクトの夫々の端子部を覆うカバー部を備えたものとされること、
を特徴とするコネクタ装置。
【請求項２】
上記アクチュエータが備えるカバー部が、上記アクチュエータが上記第２の静止位置をとるとき、上記複数のコンタクトの夫々の端子部が接続された上記配線基板の配線部をも覆うことを特徴とする請求項１記載のコネクタ装置。
【請求項３】
上記アクチュエータが備えるカバー部が、上記アクチュエータが上記第２の静止位置をとるとき、上記配線基板の配線部から外れた位置において上記配線基板に近接もしくは当接し、上記配線基板に近接もしくは当接する部分の内側において、上記配線基板の配線部に接続された上記複数のコンタクトの夫々の端子部を覆うことを特徴とする請求項１または請求項２記載のコネクタ装置。
【請求項４】
上記アクチュエータのカム部が、上記複数のコンタクトの各々に形成された係合部により回動可能に支持されることを特徴とする請求項１記載のコネクタ装置。
【請求項５】
上記複数のコンタクトの各々に、上記アクチュエータを係止して該アクチュエータの上記複数のコンタクトからの離脱を防止する突起部が形成されることを特徴とする請求項４記載のコネクタ装置。
【請求項６】
上記複数のコンタクトの各々に、上記アクチュエータに係合して該アクチュエータの上記複数のコンタクトからの離脱を防止する凹部が形成されることを特徴とする請求項４記載のコネクタ装置。
【請求項７】
上記アクチュエータ及び上記絶縁ハウジングの夫々に、相互係合して上記アクチュエータの上記絶縁ハウジングからの離脱を防止する離脱防止係合部が設けられることを特徴とする請求項１から請求項６までのいずれかに記載のコネクタ装置。
【請求項８】
上記アクチュエータが、上記絶縁ハウジングにおける上記配線板部材が差し込まれる端部に対向する端部側に配置されたことを特徴とする請求項１から請求項７までのいずれかに記載のコネクタ装置。
【発明の詳細な説明】
【技術分野】
【０００１】
本願の特許請求の範囲に記載された発明は、フレキシブル印刷配線基板（ＦＰＣ）等の配線板部材に設けられた接続端子部、あるいは、フレキシブルフラットケーブル（ＦＦＣ）に設けられた導体等を、他の電気部品である配線基板の配線部に電気的に接続された状態とするためのコネクタ装置に関する。
【背景技術】
【０００２】
カメラ付携帯電話機等の電子機器に実装される、比較的小型なフレキシブル印刷配線基板は、各種の電気部品が取り付けられる主印刷配線基板への取付けが、当該主印刷配線基板に電気的接続がなされて固着されたコネクタ装置が用いられて行われるものとされることが多い。斯かるコネクタ装置は、フレキシブル印刷配線基板に設けられた接続端子部に接触する導電性のコンタクトを有していて、そのコンタクトを介して、フレキシブル印刷配線基板に設けられた接続端子部を主印刷配線基板の印刷配線部に電気的に接続する。
【０００３】
従来提案されているフレキシブル印刷配線基板の主印刷配線基板への取付けに用いられるコネクタ装置は、例えば、フレキシブル印刷配線基板が差し込まれる差込み部が設けられた絶縁ハウジングを有したものとされる。そして、その絶縁ハウジング内に配列配置されて設けられ、フレキシブル印刷配線基板が差込み部を通じて絶縁ハウジングに差し込まれるとき、そのフレキシブル印刷配線基板に設けられた複数の接続端子部に夫々対応するものとなる複数のコンタクトと、絶縁ハウジングに対して回動可能に設けられ、複数のコンタクトの夫々に係合して、回動せしめられるとき複数のコンタクトの夫々における作動部を変位させる、複数のコンタクトに共通のアクチュエータとが備えられる。
【０００４】
複数のコンタクトの各々は、導電性の弾性材料で形成され、絶縁ハウジングに固定される部分である固定部と可動部分とを有するものされる。そして、固定部は、主印刷配線基板に設けられた印刷配線部に電気的に接続され、また、可動部分は、アクチュエータにより変位せしめられる作動部を構成する。
【０００５】
そして、絶縁ハウジングに差込み部を通じてフレキシブル印刷配線基板が差し込まれたもとで、アクチュエータが所定の方向に回動せしめられると、アクチュエータが、複数のコンタクトの夫々における作動部を変位させて、当該作動部にフレキシブル印刷配線基板に設けられた複数の接続端子部のうちの対応するものに対する押圧接触状態をとらせる。また、複数のコンタクトの各々における作動部がフレキシブル印刷配線基板に設けられた複数の接続端子部に夫々押圧接触する状態をとるもとで、アクチュエータが上述の所定の方向とは逆の方向に回動せしめられると、アクチュエータが、複数のコンタクトの夫々における作動部を変位させて、当該作動部をフレキシブル印刷配線基板に設けられた複数の接続端子部のうちの対応するものに対する押圧接触状態から解放する（例えば、特許文献１参照。）。
【０００６】
このような従来提案されているコネクタ装置にあっては、例えば、図１４に示されるように、主印刷配線基板１１に取り付けられた絶縁ハウジング１２に、複数のコンタクト１３が配列配置されて設けられるとともに、アクチュエータ１４が設けられて構成されたもとで、先ず、アクチュエータ１４が、主印刷配線基板１１に対して起き上がった状態とされる。続いて、例えば、図１５に示されるように、フレキシブル印刷配線基板１５の一部分が、絶縁ハウジング１２に、それに設けられた差込み部を通じて差し込まれ、その後、アクチュエータ１４が、回動せしめられて、主印刷配線基板１１に対して伏した状態（倒された状態）とされる。それにより、アクチュエータ１４が、複数のコンタクト１３の夫々における作動部を変位させて、当該作動部にフレキシブル印刷配線基板１５に設けられた複数の接続端子部のうちの対応するものに対する押圧接触状態をとらせる。
【０００７】
図１６に示されるように、複数のコンタクト１３は、それらの夫々が、弾性導電材料で形成された、全体として「Ｈ」字状を成す板状部材とされている。斯かる「Ｈ」字状とされたコンタクト１３にあっては、連結部１６によって相互連結された一対のビーム部１７及び１８のうち、ビーム部１７が固定部とされて、ビーム部１８が作動部とされる。固定部とされるビーム部１７の一端を成す端子部１７ａは、主印刷配線基板１１に設けられた印刷配線部１９に接続される。
【０００８】
そして、図１６に示されるように、フレキシブル印刷配線基板１５の一部分が絶縁ハウジング１２に差し込まれたときには、フレキシブル印刷配線基板１５における複数の接続端子部２０が配列配置されて設けられた部分が、複数のコンタクト１３の夫々における固定部とされるビーム部１７と作動部とされるビーム部１８との間に配される。そして、アクチュエータ１４が主印刷配線基板１１に対して伏した状態とされたもとにあっては、アクチュエータ１４に設けられた係合部２１が、コンタクト１３に係合して、コンタクト１３におけるビーム部１８を変位させ、そのビーム部１８の一端をなす当接部１８ａに、ビーム部１７とでフレキシブル印刷配線基板１５における複数の接続端子部２０が設けられた部分を挟持するようにして、複数の接続端子部２０のうちの対応するものに押圧接触する状態をとらせる。
【０００９】
斯かる際、図１５及び図１６に示されるように、主印刷配線基板１１における、各々にコンタクト１３のビーム部１７における端子部１７ａが接続される複数の印刷配線部１９の近傍の部分と、主印刷配線基板１１に対して伏した状態とされたアクチュエータ１４との間に、空隙２２が形成される。そして、斯かる空隙２２は、塵や埃等が、それを通じて、複数のコンタクト１３の各々のビーム部１７における端子部１７ａが主印刷配線基板１１の複数の印刷配線部１９に夫々接続される部分に付着すること、を許すことになる。このようなコンタクト１３のビーム部１７における端子部１７ａが主印刷配線基板１１における印刷配線部１９に接続される部分への塵や埃等の付着は、端子部１７ａと印刷配線部１９との間の導通不良，端子部１７ａ間の短絡、あるいは、印刷配線部１９間の短絡等々の不都合をもたらす虞をまねく。
【００１０】
そこで、従来にあっては、例えば、図１６に示されるように、主印刷配線基板１１に塗布後硬化する接着剤を塗布して接着剤壁２３を形成し、主印刷配線基板１１における、各々にコンタクト１３のビーム部１７における端子部１７ａが接続される複数の印刷配線部１９の近傍の部分と主印刷配線基板１１に対して伏した状態とされたアクチュエータ１４との間に形成される空隙２２を、接着剤壁２３によって塞ぐようにすることが提案されている。
【００１１】
【特許文献１】特開２００２ー２７０２９０号公報（第３，４頁、図１〜７）
【発明の開示】
【発明が解決しようとする課題】
【００１２】
上述のように、主印刷配線基板に取り付けられた絶縁ハウジングに、各々が主印刷配線基板の印刷配線部に接続された複数のコンタクトが配列配置されて設けられるとともに、アクチュエータが設けられて構成されるコネクタ装置を用い、絶縁ハウジングにフレキシブル印刷配線基板が差し込まれたもとで、アクチュエータを回動させることにより、複数のコンタクトの夫々に、フレキシブル印刷配線基板に設けられた複数の接続端子部のうちの対応するものに対する押圧接触状態をとらせるにあたり、主印刷配線基板における各々にコンタクトが接続される複数の印刷配線部の近傍の部分と主印刷配線基板に対して伏した状態とされたアクチュエータとの間に形成される空隙を、主印刷配線基板に接着剤を塗布して形成した接着剤壁によって塞ぐようにする場合には、その接着剤壁の形成に不都合が伴うことになってしまう。即ち、主印刷配線基板への接着剤塗布のための工数が作業工数の増加をまねくこと，主印刷配線基板に対する接着剤の塗布量の管理が新たに必要とされること，斯かる接着剤の塗布量の管理を適切に行って、主印刷配線基板に有効に機能する接着剤壁を適正に形成することが容易でないこと等々が、不都合としてもたらされるのである。
【００１３】
斯かる点に鑑み、本願の特許請求の範囲に記載された発明は、配線基板に取り付けられた絶縁ハウジングに、各々が配線基板の配線部に接続された複数のコンタクトと回動操作部とされるアクチュエータとが設けられて構成され、絶縁ハウジングに配線板部材が差し込まれたもとで、アクチュエータが配線基板に対して特定の位置をとるべく回動せしめられることにより、複数のコンタクトの夫々が配線板部材に設けられた複数の接続端子部のうちの対応するものに対する押圧接触状態をとるものとされるコネクタ装置であって、配線基板における配線部の近傍の部分と配線基板に対して特定の位置をとるアクチュエータとの間に形成される空隙を、作業工数の増加等をまねくことなく、簡単な構成をもって確実に塞ぐことができることになるものを提供する。
【課題を解決するための手段】
【００１４】
本願の特許請求の範囲における請求項１から請求項８までのいずれかに記載された発明（以下、本発明という。）に係るコネクタ装置は、配線基板に取り付けられる絶縁ハウジングと、配線基板の配線部に接続される端子部を有して絶縁ハウジング内に配置され、配線板部材が絶縁ハウジング内に差し込まれるとき、差し込まれた配線板部材に設けられた複数の接続端子部に夫々対応する位置をとるものとされる複数のコンタクトと、絶縁ハウジングに対して回動可能に設けられて第１の静止位置と第２の静止位置とを選択的にとり、複数のコンタクトに夫々係合する複数のカム部が設けられていて、配線板部材が絶縁ハウジング内に差し込まれたもとで、第１の静止位置から第２の静止位置に移行するとき、複数のコンタクトの夫々に配線板部材に設けられた複数の接続端子部のうちの対応するものに対する押圧接触状態をとらせ、第２の静止位置から第１の静止位置に移行するとき、複数のコンタクトの夫々を配線板部材に設けられた複数の接続端子部のうちの対応するものに対する押圧接触状態から解放するアクチュエータとを備える。そして、複数のコンタクトの夫々が、第１の端部を有した固定部とされる第１のビーム部と第２の端部を有した作動部とされる第２のビーム部とが連結部により第１及び第２の端部を相互対向させて相互連結されたＨ字状を成す板状部材とされ、第１及び第２のビーム部がアクチュエータに設けられたカム部を挟んでそれに当接し、アクチュエータが第１の静止位置から第２の静止位置に移行するとき、カム部によって第２のビーム部が第１の端部と第２の端部との間の間隔を狭めるように変位せしめられて複数の接続端子部のうちの対応するものに押圧接触する状態をとり、アクチュエータが、第２の静止位置をとるとき配線基板の配線部に接続された複数のコンタクトの夫々の端子部を覆うカバー部を備えたものとされて、構成される。
【００１５】
特に、本発明のうちの請求項３に記載された発明に係るコネクタ装置にあっては、アクチュエータが備えるカバー部が、アクチュエータが第２の静止位置をとるとき、配線基板の配線部から外れた位置において当該配線基板に近接もしくは当接し、配線基板に近接もしくは当接する部分の内側において、配線基板の配線部に接続された複数のコンタクトの夫々の端子部を覆うものとされる。
【００１６】
また、特に、本発明のうちの請求項４に記載された発明に係るコネクタ装置にあっては、アクチュエータのカム部が、複数のコンタクトの各々に形成された係合部により回動可能に支持されるものとされる。
【００１７】
上述のように構成される本発明に係るコネクタ装置にあっては、絶縁ハウジングに、例えば、フレキシブル印刷配線基板とされる配線板部材が差し込まれたもとで、回動操作部を成すアクチュエータが第１の静止位置から第２の静止位置へと移行せしめられると、そのアクチュエータが、絶縁ハウジング内に配置された複数のコンタクトの夫々に、絶縁ハウジング内に差し込まれた配線板部材に設けられた複数の接続端子部のうちの対応するものに対する押圧接触状態をとらせる。また、その後、アクチュエータが第２の静止位置から第１の静止位置へと移行せしめられると、そのアクチュエータが、複数のコンタクトの夫々を、配線板部材に設けられた複数の接続端子部のうちの対応するものに対する押圧接触状態から解放する。
【００１８】
その際、第１の静止位置から第２の静止位置へと移行したアクチュエータは、第２の静止位置において、それに備えられたカバー部によって、配線基板の配線部に接続された複数のコンタクトの夫々の端子部を覆うものとなる。このとき、アクチュエータのカバー部は、例えば、請求項３に記載された発明におけるように、配線基板の配線部から外れた位置において当該配線基板に近接もしくは当接し、配線基板に近接もしくは当接する部分の内側において配線基板の配線部に接続された複数のコンタクトの夫々の端子部を覆う状態におかれる。
【００１９】
また、アクチュエータは、例えば、請求項４に記載された発明におけるように、それに設けられて、複数のコンタクトの各々における第２のビーム部を接続端子部に対して押圧当接する状態をとらせるべく変位させるカム部が、複数のコンタクトの各々に形成された係合部により回動可能に支持されるもとで、回動操作により第１の静止位置から第２の静止位置への移行及び第２の静止位置から第１の静止位置への移行を行うものとされる。
【発明の効果】
【００２０】
上述の本発明に係るコネクタ装置にあっては、絶縁ハウジングに配線板部材が差し込まれたもとでアクチュエータが第２の静止位置におかれ、絶縁ハウジング内に配置された複数のコンタクトの夫々が、絶縁ハウジング内に差し込まれた配線板部材に設けられた複数の接続端子部のうちの対応するものに対する押圧接触状態をとるとき、アクチュエータに備えられたカバー部が、例えば、請求項３に記載された発明におけるように、配線基板に近接もしくは当接する部分の内側において、配線基板の配線部に接続された複数のコンタクトの夫々の端子部を覆うものとなり、それによって、配線基板における配線部の近傍の部分と第２の静止位置におかれたアクチュエータとの間に形成される空隙が、アクチュエータに備えられたカバー部によって塞がれる。
【００２１】
従って、本発明に係るコネクタ装置によれば、絶縁ハウジング内に配置された複数のコンタクトの夫々に、絶縁ハウジング内に差し込まれた配線板部材に設けられた複数の接続端子部のうちの対応するものに対する押圧接触状態をとらせるべく、アクチュエータが第２の静止位置におかれるとき、配線基板における配線部の近傍の部分と第２の静止位置におかれたアクチュエータとの間に形成される空隙を、アクチュエータに備えられたカバー部により、作業工数の増加等をまねくことなく、簡単な構成をもって確実に塞ぐことができる。そして、その結果、配線基板における配線部の近傍の部分と第２の静止位置におかれたアクチュエータとの間に形成される空隙を通じて、塵や埃等が、複数のコンタクトの各々の端子部が配線基板における配線部に接続される部分に付着して、端子部と配線部との間の導通不良，端子部間の短絡、あるいは、配線部間の短絡等々の不都合をもたらす事態を回避できることになる。
【００２２】
また、本発明に係るコネクタ装置によれば、複数のコンタクトの夫々が、第１の端部を有した固定部とされる第１のビーム部と第２の端部を有した作動部とされる第２のビーム部とが連結部により第１及び第２の端部を相互対向させて相互連結されたＨ字状を成す板状部材とされ、第１及び第２のビーム部がアクチュエータに設けられたカム部を挟んでそれに当接し、アクチュエータが第１の静止位置から第２の静止位置に移行するとき、カム部によって第２のビーム部が第１の端部と第２の端部との間の間隔を狭めるように変位せしめられて複数の接続端子部のうちの対応するものに押圧接触する状態をとるものとされることにより、アクチュエータが、所定の間隔をおいて配列配置されて複数のカム部に夫々当接する複数のコンタクトにより、例えば、請求項４に記載された発明におけるような係合部をもって、回動可能に支持されることになるので、アクチュエータを回動可能とするための回動軸部及び軸受部等をアクチュエータ及び絶縁ハウジングに夫々設ける必要がなくなり、それによってコネクタ装置全体の構成の簡素化を図ることができる。さらに、アクチュエータあるいは絶縁ハウジングが撓み等の機械的変形を生じる虞がないものとされ、複数のコンタクトの夫々の複数の接続端子部のうちの対応するものに対する押圧接触状態を、適正かつ均一なものとすることができる。
【発明を実施するための最良の形態】
【００２３】
本発明を実施するための最良の形態は、以下に述べられる本発明についての実施例をもって説明される。
【実施例１】
【００２４】
図１及び図２は、本発明に係るコネクタ装置の一例を、それが固着された配線基板と共に示す。
【００２５】
図１及び図２において、本発明に係るコネクタ装置の一例を成すコネクタ装置３０は、合成樹脂等の絶縁材料によって形成され、配線基板３１に取り付けられた絶縁ハウジング３２を備えており、絶縁ハウジング３２には、配線板部材差込み部３３が設けられている。絶縁ハウジング３２が配線基板３１に取り付けられることにより、コネクタ装置３０の全体が配線基板３１に固着されたものとされる。そして、配線板部材差込み部３３を通じて、例えば、後述されるフレキシブル印刷配線基板の一端部が、配線板部材を成すものとして、絶縁ハウジング３２の内部に差し込まれる。
【００２６】
絶縁ハウジング３２には、その内部に、各々が弾性導電材料で形成された複数のコンタクト３４が配列配置されて設けられている。また、絶縁ハウジング３２における配線板部材差込み部３３が設けられた端部に対向する端部側に、複数のコンタクト３４の配列方向に沿って伸びるアクチュエータ３５が回動可能に設けられている。アクチュエータ３５は、全体としてコ字状を成して伸びる隔壁状部を形成するカバー部３６を備えている。そして、アクチュエータ３５は、図１及び図２に示されるような、配線基板３１に対して起き上がった状態とされる位置を、第１の静止位置としてとることができ、また、後述される図４及び図５に示されるような、配線基板３１に対して伏した状態とされる位置を、第２の静止位置としてとることができて、第１の静止位置から第２の静止位置への回動、あるいは、第２の静止位置から第１の静止位置への回動を行うものとされている。
【００２７】
絶縁ハウジング３２内に配列配置されて設けられる複数のコンタクト３４の夫々は、アクチュエータ３５が第１の静止位置をとる状態を示す図３に示されるように、弾性導電材料で形成された、全体として「Ｈ」字状を成す板状部材とされている。斯かる「Ｈ」字状とされたコンタクト３４にあっては、連結部３７によって相互連結された一対のビーム部３８及び３９のうち、ビーム部３８が固定部とされて、ビーム部３９が作動部とされる。固定部とされるビーム部３８の一端を成す端子部３８ａは、配線基板３１に設けられた配線部４０に接続される。
【００２８】
絶縁ハウジング３２に対して回動可能に設けられたアクチュエータ３５には、図３に示されるように、複数のコンタクト３４に夫々係合する複数のカム部４１が設けられている。複数のカム部４１の夫々は、対応するコンタクト３４における作動部を成すビーム部３９に形成された係合部４２に係合するものとされている。そして、各カム部４１は、複数のコンタクト３４のうちの対応するものにおけるビーム部３８とビーム部３９とに挟まれて、ビーム部３９に加えてビーム部３８にも当接するものとされており、アクチュエータ３５と共に回動する。このようなもとで、各コンタクト３４における作動部を成すビーム部３９に形成された係合部４２は、対応するカム部４１を回動可能に支持する役割を果たしている。
【００２９】
アクチュエータ３５が、図１，図２及び図３に示されるように、第１の静止位置をとるもとにあっては、複数のカム部４１の夫々が、配線基板３１からの距離が比較的小とされる比較的低い位置において、対応するコンタクト３４における係合部４２に係合する。それにより、複数のカム部４１の夫々は、対応するコンタクト３４におけるビーム部３９に、その配線板部材差込み部３３側の端部３９ａと固定部を成すビーム部３８の配線板部材差込み部３３側の端部３８ｂとの間の間隔が比較的大とされる位置をとらせる。
【００３０】
そして、アクチュエータ３５が第１の静止位置をとるもとにおいて、図４及び図５に示される配線板部材としてのフレキシブル印刷配線基板４５の一端部が絶縁ハウジング３２内に配線板部材差込み部３３を通じて差し込まれたもとで、アクチュエータ３５が、それに対する回動操作により回動せしめられて、第１の静止位置から図４及び図５に示される第２の静止位置に移行すると、絶縁ハウジング３２内に配列配置された複数のコンタク３４が、絶縁ハウジング３２内に差し込まれたフレキシブル印刷配線基板４５の一端部に設けられた複数の接続端子部４６に夫々押圧接触するものとされる。
【００３１】
斯かる際においては、先ず、アクチュエータ３５が第１の静止位置をとるもとにおいて絶縁ハウジング３２内に差し込まれたフレキシブル印刷配線基板４５の一端部が、絶縁ハウジング３２内に配列配置された複数のコンタクト３４に対して、複数のコンタクト３４の夫々のビーム部３８とビーム部３９とに挟まれる位置におかれる。続いて、第１の静止位置をとるアクチュエータ３５が、回動操作により、第１の静止位置から第２の静止位置に移行すべく回動せしめられる。このようなアクチュエータ３５の第１の静止位置から第２の静止位置への移行に伴って、図６に示されるように、アクチュエータ３５に設けられた複数のカム部４１の夫々が、配線基板３１からの距離が比較的大とされる比較的高い位置において、対応するコンタクト３４における係合部４２に係合する。
【００３２】
比較的高い位置においてコンタクト３４における係合部４２に係合するカム部４１は、当該ビーム部３９を、その配線板部材差込み部３３側の端部３９ａと固定部を成すビーム部３８の配線板部材差込み部３３側の端部３８ｂとの間の間隔を狭めるように変位させ、当該ビーム部３９に、その端部３９ａが絶縁ハウジング３２内に差し込まれたフレキシブル印刷配線基板４５の一端部に設けられた複数の接続端子部４６のうちの対応するものに押圧接触する状態をとらせる。それにより、絶縁ハウジング３２内に差し込まれたフレキシブル印刷配線基板４５の一端部に設けられた複数の接続端子部４６の夫々が、対応するコンタクト３４を通じて、配線基板３１に設けられた複数の配線部４０のうちの対応するものに電気的に接続されることになる。
【００３３】
また、上述のようにして、アクチュエータ３５が第２の静止位置をとるものとされるときには、図４及び図６に示されるように、アクチュエータ３５に設けられたカバー部３６が、それが形成する全体としてコ字状を成して伸びる隔壁状部のコ字状端面に、配線基板３１の配線部４０から外れた位置において配線基板３１に近接もしくは当接する状態をとらせ、それによって、配線基板３１の配線部４０に接続された複数のコンタクト３４の夫々におけるビーム部３８の一端を成す端子部３８ａを、それが接続された配線部４０と共に覆うものとされる。
【００３４】
このようにして、アクチュエータ３５に設けられたカバー部３６が、配線基板３１の配線部４０に接続された複数のコンタクト３４の夫々におけるビーム部３８の一端を成す端子部３８ａを、それが接続された配線部４０と共に覆うことにより、配線基板３１における複数の配線部４０の近傍の部分と第２の静止位置におかれたアクチュエータ３５との間に形成される空隙４７が、カバー部３６によって塞がれることになる。
【００３５】
その結果、配線基板３１における複数の配線部４０の近傍の部分と第２の静止位置におかれたアクチュエータ３５との間に形成される空隙４７を通じて、塵や埃等が、複数のコンタクト３４の各々におけるビーム部３８の一端を成す端子部３８ａが配線基板３１における配線部４０に接続される部分に付着して、端子部３８ａと配線部４０との間の導通不良，端子部３８ａ間の短絡、あるいは、配線部４０間の短絡等々の不都合をもたらす事態の発生が回避される。
【００３６】
図４，図５及び図６に示されるように、フレキシブル印刷配線基板４５の一端部が絶縁ハウジング３２内に配線板部材差込み部３３を通じて差し込まれたもとで第２の静止位置をとるものとされたアクチュエータ３５は、必要に応じて、回動操作により第２の静止位置から第１の静止位置に移行すべく回動せしめられる。斯かる際の回動操作は、勿論、第１の静止位置から第２の静止位置に移行すべく回動せしめられるときの回動操作とは逆方向のものとされる。
【００３７】
第２の静止位置から第１の静止位置に移行する回動を行うアクチュエータ３５は、絶縁ハウジング３２内に配列配置されて設けられた複数のコンタクト３４の夫々を、フレキシブル印刷配線基板４５の一端部に配列配置されて設けられた複数の接続端子部４６のうちの対応するものに対する押圧接触状態から解放する。斯かる解放は、アクチュエータ３５の第２の静止位置から第１の静止位置に移行する回動に伴って、複数のコンタクト３４の夫々におけるビーム部３９に係合して、当該ビーム部３９の端部３９ａにフレキシブル印刷配線基板４５の一端部に設けられた接続端子部４６に対する押圧接触状態をとらせている、アクチュエータ３５に設けられた複数のカム部４１の夫々が、コンタクト３４のビーム部３９を、その端部３９ａと固定部を成すビーム部３８の端部３８ｂとの間の間隔を広げるように変位させ、当該端部３９ａの接続端子部４６に対する当接状態を解除することにより行われる。さらに、このようなアクチュエータ３５の第２の静止位置から第１の静止位置への移行に伴って、アクチュエータ３５に設けられた複数のカム部４１の夫々が、比較的低い位置において、対応するコンタクト３４における係合部４２に係合する。
【００３８】
なお、上述の本発明に係るコネクタ装置の一例を成すコネクタ装置３０にあっては、アクチュエータ３５に設けられるカバー部３６が、全体としてコ字状を成して伸びる隔壁状部を形成するものとされているが、本発明に係るコネクタ装置におけるアクチュエータに設けられるカバー部は、斯かる例に限られることなく、種々の形状及び寸法をとり得るものであって、要は、アクチュエータが第２の静止状態をとるとき配線基板の配線部に接続された複数のコンタクトの夫々の端子部を覆うことができるものであればよい。
【実施例２】
【００３９】
図７は、本発明に係るコネクタ装置の他の例を、それが固着された配線基板及びそれに差し込まれたフレキシブル印刷配線基板と共に示す。
【００４０】
図７に示される例は、その多くの部分が図１及び図２に示される例と同様に構成されたものとされている。そこで、図７に示される例とそれに関わる配線基板及びフレキシブル印刷配線基板とについては、図１及び図２に示される例とそれに関わる配線基板及びフレキシブル印刷配線基板とについての種々の部分及び部材に対応する各部及び各部材が、図１〜図６と共通の符号をもって示され、それらについての重複説明は省略される。
【００４１】
図７に示される例にあっては、絶縁ハウジング３２に設けられた配線板部材差込み部３３を通じて、絶縁ハウジング３２内に、フレキシブル印刷配線基板４５における複数の接続端子部４６が配列配置された一端部が差し込まれ、カバー部３６（図７には現れていない）が設けられたアクチュエータ３５が、配線基板３１に対して伏した状態とされる第２の静止位置をとるものとされている。そして、アクチュエータ３５には、カバー部３６に加えて、絶縁ハウジング３２内に配列配置されて設けられた複数のコンタクト３４の配列方向における両端部の夫々に、離脱防止係合部４８が、外部に突出するものとして設けられている。また、アクチュエータ３５における複数のコンタクト３４の配列方向における両端部に夫々近接対向する絶縁ハウジング３２における両端部の夫々にも、離脱防止係合部４９が、離脱防止係合部４８に対応するものとして設けられている。
【００４２】
このようなアクチュエータ３５に設けられた離脱防止係合部４８と絶縁ハウジング３２に設けられた離脱防止係合部４９とは、アクチュエータ３５が、それに設けられた複数のカム部４１が複数のコンタクト３４の夫々における係合部４２による支持から外れ、絶縁ハウジング３２から離脱しようとする状態におかれたとき、相互係合してアクチュエータ３５の絶縁ハウジング３２からの離脱を防止する。図７に示される離脱防止係合部４８及び４９の夫々の配置位置及び形状は一例であって、他の様々な配置位置及び形状がとられることが考えられ、要は相互係合してアクチュエータ３５の絶縁ハウジング３２からの離脱を防止できるものであればよい。
【００４３】
また、図７に示される例にあっては、カバー部３６が設けられたアクチュエータ３５が、配線基板３１に対して起き上がった状態とされる第１の静止位置をとるものとされた状態をあらわす図８、及び、図８の一部を拡大してあらわす図９に示されるように、絶縁ハウジング３２内に配列配置されて設けられた複数のコンタクト３４の夫々におけるビーム部３８に、アクチュエータ３５の一端部５１に係合する突起部５２が形成されている。この突起部５２は、図７に示される例について、絶縁ハウジング３２内に、配線板部材差込み部３３を通じてフレキシブル印刷配線基板４５における複数の接続端子部４６が配列配置された一端部が差し込まれ、カバー部３６が設けられたアクチュエータ３５が、配線基板３１に対して伏した状態とされる第２の静止位置をとるものとされた状態をあらわす図１０、及び、図１０の一部を拡大してあらわす図１１に示されるように、アクチュエータ３５が配線基板３１に対して伏した状態とされる第２の静止位置をとるときには、アクチュエータ３５の一端部５１に係合せず、アクチュエータ３５が配線基板３１に対して起き上がった状態とされる第１の静止位置をとるとき、アクチュエータ３５の一端部５１に係合する。
【００４４】
そして、複数のコンタクト３４の夫々におけるビーム部３８に形成された突起部５２は、アクチュエータ３５の一端部５１に係合するとき、それによってアクチュエータ３５を係止して、アクチュエータ３５の複数のコンタクト３４からの離脱を防止する。
【００４５】
上述のような図７に示される例における複数のコンタクト３４の夫々は、それに、図８〜図１１の夫々に示される突起部５２に代えて、図１２及び図１３の夫々に示される凹部５３が形成されたものとされてもよい。複数のコンタクト３４の夫々に凹部５３が形成される場合には、斯かる凹部５３は、図７に示される例について、カバー部３６が設けられたアクチュエータ３５が、配線基板３１に対して起き上がった状態とされる第１の静止位置をとるものとされた状態をあらわす図１２に示されるように、アクチュエータ３５が第１の静止位置をとるとき、アクチュエータ３５の一端部５１に係合し、図７に示される例について、カバー部３６が設けられたアクチュエータ３５が、配線基板３１に対して伏した状態とされる第２の静止位置をとるものとされた状態をあらわす図１３に示されるように、アクチュエータ３５が第２の静止位置をとるときには、アクチュエータ３５の一端部５１に係合しない。
【００４６】
そして、複数のコンタクト３４の夫々におけるビーム部３８に形成された凹部５３は、アクチュエータ３５の一端部５１に係合するとき、それによってアクチュエータ３５を係止して、アクチュエータ３５の複数のコンタクト３４からの離脱を防止する。
【００４７】
図７に示される例におけるその他の部分については、前述の図１及び図２に示される例の場合と同様であり、また、図７に示される例により上述の作用効果の他に得られる作用効果についても、前述の図１及び図２により得られる作用効果と同様である。
【産業上の利用可能性】
【００４８】
以上のような本発明に係るコネクタ装置は、配線基板に固着されて、例えば、フレキシブル印刷配線基板への取付けに用いられる、複数のコンタクトとそれらに係合し、回動操作されるとき複数のコンタクトの夫々における作動部を変位させるアクチュエータを備えたコネクタ装置であって、配線基板における配線部の近傍の部分と配線基板に対して特定の位置をとるアクチュエータとの間に形成される空隙を、作業工数の増加等をまねくことなく、簡単な構成をもって確実に塞ぐことができることになるものとして、様々な電子機器等に広く適用され得るものである。
【図面の簡単な説明】
【００４９】
【図１】本発明に係るコネクタ装置の一例を、それが固着された配線基板と共に示す斜視図である。
【図２】本発明に係るコネクタ装置の一例を、それが固着された配線基板と共に示す斜視図である。
【図３】図１及び図２に示される例の構成及び動作の説明に供される断面図である。
【図４】本発明に係るコネクタ装置の一例を、それが固着された配線基板と共に示す斜視図である。
【図５】本発明に係るコネクタ装置の一例を、それが固着された配線基板と共に示す斜視図である。
【図６】図１及び図２に示される例の構成及び動作の説明に供される断面図である。
【図７】本発明に係るコネクタ装置の他の例を、それが固着された配線基板及びそれに差し込まれたフレキシブル配線基板と共に示す平面図である。
【図８】図７に示される例の構成及び動作の説明に供される断面図である。
【図９】図８の一部を拡大してあらわす部分拡大断面図である。
【図１０】図７に示される例の構成及び動作の説明に供される断面図である。
【図１１】図１０の一部を拡大してあらわす部分拡大断面図である。
【図１２】図７に示される例についての変形例の構成及び動作の説明に供される断面図である。
【図１３】図７に示される例についての変形例の構成及び動作の説明に供される断面図である。
【図１４】従来のコネクタ装置の一例を、それが固着された配線基板と共に示す斜視図である。
【図１５】従来のコネクタ装置の一例を、それが固着された配線基板と共に示す斜視図である。
【図１６】図１４及び図１５に示される従来のコネクタ装置の例の構成及び動作の説明に供される断面図である。
【符号の説明】
【００５０】
３０・・・コネクタ装置，  ３１・・・配線基板，  ３２・・・絶縁ハウジング，  ３３・・・配線板部材差込み部，  ３４・・・コンタクト，  ３５・・・アクチュエータ，  ３６・・・カバー部，  ３７・・・連結部，  ３８，３９・・・ビーム部，  ４０・・・配線部，  ４１・・・カム部，  ４２・・・係合部，  ４５・・・フレキシブル印刷配線基板，  ４６・・・接続端子部，  ４７・・・空隙，  ４８，４９・・・離脱防止係合部，  ５１・・・アクチュエータの一端部，  ５２・・・突起部，  ５３・・・凹部
【図１】
0004726002.tif 000002
【図２】
0004726002.tif 000003
【図３】
0004726002.tif 000004
【図４】
0004726002.tif 000005
【図５】
0004726002.tif 000006
【図６】
0004726002.tif 000007
【図７】
0004726002.tif 000008
【図８】
0004726002.tif 000009
【図９】
0004726002.tif 000010
【図１０】
0004726002.tif 000011
【図１１】
0004726002.tif 000012
【図１２】
0004726002.tif 000013
【図１３】
0004726002.tif 000014
【図１４】
0004726002.tif 000015
【図１５】
0004726002.tif 000016
【図１６】
0004726002.tif 000017